(57)【要約】【課題】簡単な作業により効率よく鉄筋コンクリート基礎スラブの配筋を行うことのできる配筋方法を提案すること。【解決手段】スラブ筋を縦筋枠３０と横筋枠４０から構成する。縦筋枠３０を複数本の縦筋４と、これらの縦筋４を一定間隔で保持している縦筋用仮止め筋３１から構成する。横筋枠４０を複数本の横筋４０と、これらの縦筋４を一定の間隔に保持している横筋用仮止め筋４１から構成する。鉄筋コンクリート基礎梁スラブの設置場所において、縦筋４および横筋５が直交するように、縦筋枠３０と横筋枠４０を相互に重ね合わせて固定して、スラブ筋を構成する。【選択図】図１
2017078253.tif 000002
【特許請求の範囲】
【請求項１】
一定間隔で平行に延びる状態に平面上に配置した複数本の縦筋、および、これらの縦筋に溶接され、これらの縦筋を一定間隔に保持している縦筋用仮止め筋を備えたスラブ配筋用の縦筋枠を用意し、
一定の間隔で平行に延びる状態に平面上に配置した複数本の横筋、および、これらの横筋に溶接され、これらの横筋を一定の間隔に保持している横筋用仮止め筋を備えたスラブ配筋用の横筋枠を用意し、
前記縦筋および前記横筋が直交するように、前記縦筋枠と前記横筋枠が相互に重ね合わせて、前記縦筋と前記横筋との交差部分を固定することを特徴とする鉄筋コンクリート基礎スラブの配筋方法。
【請求項２】
請求項１において、
２枚の前記縦筋枠を縦筋長さ方向に配列する場合に、これらの端部を所定の長さに亘って相互に重ね合わせて重ね継ぎ手を構成し、
前記縦筋枠が重なっている部分に、前記縦筋枠のそれぞれの端部に配置されている前記縦筋用仮止め筋を位置させる鉄筋コンクリート基礎スラブの配筋方法。
【請求項３】
請求項１において、
２枚の前記横筋枠を横筋長さ方向に配列する場合に、これらの端部を所定の長さに亘って相互に重ね合わせて重ね継ぎ手を構成し、
前記横筋枠が重なっている部分に、前記横筋枠のそれぞれの端部に配置されている前記横筋用仮止め筋を位置させる鉄筋コンクリート基礎スラブの配筋方法。
【請求項４】
請求項１において、
前記縦筋枠において、前記縦筋に対して同一の側に前記縦筋用仮止め筋を溶接し、
前記横筋枠において、前記横筋に対して同一の側に前記横筋用仮止め筋を溶接し、
前記縦筋枠と前記横筋枠とを、前記縦筋用仮止め筋および前記横筋用仮止め筋が内側に位置するように、相互に重ね合わせる鉄筋コンクリート基礎スラブの配筋方法。
【請求項５】
請求項１において、
前記縦筋枠および前記横筋枠を工場生産してスラブ筋の設置場所に搬入して設置する鉄筋コンクリート基礎スラブの配筋方法。
【請求項６】
一定間隔で平行に延びる状態に平面上に配置した複数本の縦筋、および、これらの縦筋に溶接され、これらの縦筋を一定間隔に保持している縦筋用仮止め筋を備えたスラブ配筋用の縦筋枠と、
一定の間隔で平行に延びる状態に平面上に配置した複数本の横筋、および、これらの横筋に溶接され、これらの横筋を一定の間隔に保持している横筋用仮止め筋を備えたスラブ配筋用の横筋枠と、
前記縦筋および前記横筋が直交するように、前記縦筋枠と前記横筋枠が相互に重ね合わされた状態で、前記縦筋と前記横筋との交差部分が固定されていることを特徴とする鉄筋コンクリート基礎スラブの配筋構造。
【請求項７】
請求項６において、
２枚の前記横筋枠が横筋長さ方向に配列されており、
前記横筋枠の間には、前記横筋枠の端部のそれぞれが所定の長さに亘って相互に重ね合わされた状態の重ね継ぎ手を備えており、
前記横筋枠が重なっている部分には、前記横筋枠のそれぞれの端部に配置されている前記横筋用仮止め筋が位置している鉄筋コンクリート基礎スラブの配筋構造。
【請求項８】
請求項６において、
２枚の前記縦筋枠が縦筋長さ方向に配列されており、
前記縦筋枠の間には、前記縦筋枠の端部のそれぞれが所定の長さに亘って相互に重ね合わされた状態の重ね継ぎ手を備えており、
前記縦筋枠が重なっている部分には、前記縦筋枠のそれぞれの端部に配置されている前記縦筋用仮止め筋が位置している鉄筋コンクリート基礎スラブの配筋構造。
【発明の詳細な説明】
【技術分野】
【０００１】
本発明は、住宅などの鉄筋コンクリート基礎スラブの配筋方法および配筋構造に関する。
【背景技術】
【０００２】
住宅建築などに用いられる鉄筋コンクリート基礎スラブのスラブ筋の配筋は、設置現場において縦横のスラブ筋を所定間隔で配置して、交差部分を結束線によって結束して格子状のスラブ配筋構造を構築している。特許文献１には、スラブ筋の配筋作業を簡単に行うために、一定間隔で溝が付いているスラブ筋保持体を四隅に配置し、スラブ筋保持体の溝にスラブ筋を配置することで、格子状に縦横のスラブ筋を配置できるようにしている。
【先行技術文献】
【特許文献】
【０００３】
【特許文献１】特開２００７−３２７１９３号公報
【発明の概要】
【発明が解決しようとする課題】
【０００４】
本発明の課題は、スラブ筋保持体などの枠を用いることなく、簡単かつ効率よくスラブ筋の配筋作業を行うことのできる鉄筋コンクリート基礎スラブの配筋方法および配筋構造を提供することにある。
【課題を解決するための手段】
【０００５】
上記の課題を解決するために、本発明の鉄筋コンクリート基礎スラブの配筋方法は、スラブ筋を縦筋枠と横筋枠とから構成する。縦筋枠を、一定間隔で平行に延びる状態に平面上に配置した複数本の縦筋と、これらの縦筋に溶接され、これらの縦筋を一定間隔に保持している縦筋用仮止め筋とから構成する。横筋枠を、一定の間隔で平行に延びる状態に平面上に配置した複数本の横筋と、これらの横筋に溶接され、これらの横筋を一定の間隔に保持している横筋用仮止め筋とから構成する。そして、鉄筋コンクリート基礎梁が設置されるスラブ筋の設置場所において、縦筋および横筋が直交するように、縦筋枠と横筋枠を相互に重ね合わせて固定して、スラブ筋を構成している。
【０００６】
ここで、スラブ筋の設置面積が広い場合には、複数枚の縦筋枠および横筋枠が配置される。この場合には、隣接する縦筋枠の間、隣接する横筋枠の間には、重ね継ぎ手が構成される。
【０００７】
例えば、２枚の前記縦筋枠を縦筋長さ方向に配列する場合に、これらの端部を所定の長さに亘って相互に重ね合わせて重ね継ぎ手を構成し、前記縦筋枠が重なっている部分に、前記縦筋枠のそれぞれの端部に配置されている前記縦筋用仮止め筋を位置させる。同様に、２枚の前記横筋枠を横筋長さ方向に配列する場合に、これらの端部を所定の長さに亘って相互に重ね合わせて重ね継ぎ手を構成し、前記横筋枠が重なっている部分に、前記横筋枠のそれぞれの端部に配置されている前記横筋用仮止め筋を位置させる。
【０００８】
このようにすれば、２枚の枠（縦筋枠同士あるいは横筋枠同士）の重ね継ぎ手部分では、重ね継ぎ手部分に充填されるコンクリートの部分が、止め筋の間に拘束された状態になる。よって、止め筋の耐力を利用して、重ね継ぎ手長さを短くすることが可能である。
【０００９】
２枚の縦筋枠を縦筋長さ方向に配列する場合に、一方の縦筋枠における縦筋長さ方向の
一方の端に配置されている縦筋用仮止め筋から突出している縦筋部分と、他方の縦筋枠における縦筋長さ方向の一方の端に配置されている縦筋用仮止め筋から突出している縦筋部分とを相互に重ね合わせて、これら２枚の縦筋枠の間に重ね継ぎ手を構成してもよい。
【００１０】
同様に、２枚の横筋枠を横筋長さ方向に配列する場合に、一方の横筋枠における横筋長さ方向の一方の端に配置されている横筋用仮止め筋から突出している横筋部分と、他方の横筋枠における横筋長さ方向の一方の端に配置されている横筋用仮止め筋から突出している横筋部分とを相互に重ね合わせて、これら２枚の横筋枠の重ね継ぎ手を構成してもよい。
【００１１】
あるいは、仮止め筋の位置に関係なく、隣接する縦筋枠の端部の間、あるいは隣接する横筋枠の端部の間に、必要長さの重ね継ぎ手を構成してもよいことは勿論である。
【００１２】
次に、縦筋枠と横筋枠とを重ね合わせた状態において、重なり厚さが厚くならないように、縦筋枠および横筋枠と同一側に縦筋用仮止め筋および横筋用仮止め筋が位置するようにすることが望ましい。これにより、重ね合わせ厚さは、縦筋枠の直径と横筋枠の直径との合計寸法となる。止め筋は、縦筋、横筋と同一径あるいは、それらよりも小径の鉄筋を用いることができるので、縦筋と横筋の重ね合わせ厚さ寸法内に止め筋が納まり、重なり厚さの増加を抑制できる。
【００１３】
このために、本発明では、縦筋枠において、縦筋に対して同一の側に縦筋用仮止め筋を溶接し、同様に、横筋枠において、横筋に対して同一の側に横筋用仮止め筋を溶接する。そして、縦筋枠と横筋枠とを、縦筋用仮止め筋および横筋用仮止め筋が内側に位置するように、相互に重ね合わせている。
【００１４】
なお、品質のばらつきを無くし、現場での作業工程を減らすために、縦筋枠と横筋枠も工場生産して現場に搬入することが望ましい。
【００１５】
次に、本発明の鉄筋コンクリート基礎スラブの配筋構造は、
一定間隔で平行に延びる状態に平面上に配置した複数本の縦筋、および、これらの縦筋に溶接され、これらの縦筋を一定間隔に保持している縦筋用仮止め筋を備えたスラブ配筋用の縦筋枠と、
一定の間隔で平行に延びる状態に平面上に配置した複数本の横筋、および、これらの横筋に溶接され、これらの横筋を一定の間隔に保持している横筋用仮止め筋を備えたスラブ配筋用の横筋枠と、
前記縦筋および前記横筋が直交するように、前記縦筋枠と前記横筋枠が相互に重ね合わされた状態で、前記縦筋と前記横筋との交差部分が固定されていることを特徴としている。
【００１６】
ここで、２枚の前記横筋枠が横筋長さ方向に配列され前記横筋枠の間には、前記横筋枠の端部のそれぞれが所定の長さに亘って相互に重ね合わされた状態の重ね継ぎ手を備えている場合には、前記横筋枠が重なっている部分に、前記横筋枠のそれぞれの端部に配置されている前記横筋用仮止め筋が位置していることが望ましい。
【００１７】
同様に、２枚の前記縦筋枠が縦筋長さ方向に配列され、前記縦筋枠の間には、前記縦筋枠の端部のそれぞれが所定の長さに亘って相互に重ね合わされた状態の重ね継ぎ手を備えている場合には、前記縦筋枠が重なっている部分に、前記縦筋枠のそれぞれの端部に配置されている前記縦筋用仮止め筋が位置していることが望ましい。
【図面の簡単な説明】
【００１８】
【図１】本発明を適用したスラブ筋の配筋構造を示す説明図である。
【図２】スラブ筋を構成する縦筋枠および横筋枠の一例を示す説明図である。
【発明を実施するための形態】
【００１９】
以下に、図面を参照して、本発明を適用した鉄筋コンクリート基礎スラブの配筋方法の実施の形態を説明する。
【００２０】
図１（ａ）は鉄筋コンクリート基礎スラブのスラブ筋を示す説明図であり、図１（ｂ）はその重ね継ぎ手部分を示す説明図である。図２（ａ）はスラブ筋を構成する縦筋枠を示す説明図であり、図２（ｂ）はスラブ筋を構成する横筋枠を示す説明図である。
【００２１】
これらの図に示すように、鉄筋コンクリート基礎スラブのスラブ筋３は、縦筋４および横筋５が格子状に配列されている。本例では、縦筋４から構成される縦筋枠３０と横筋５から構成される横筋枠４０を、縦筋４と横筋５が直交する状態に重ね合わせることによって構成されている。
【００２２】
必要枚数分の縦筋枠３０がその長さ方向および幅方向に配列され、長さ方向に隣接する縦筋枠３０の間には重ね継ぎ手が構成されている。同様に、必要枚数分の横筋枠４０がその長さ方向および幅方向に配列され、長さ方向に隣接する横筋枠４０の間には重ね継ぎ手が構成されている。
【００２３】
縦筋枠３０は、図２（ｂ）に示すように、一定の間隔で平行に延びる状態に平面上に配置した複数本の縦筋４を備えている。縦筋４に直交する状態に縦筋用仮止め筋３１が長さ方向に一定の間隔で配列されている。各縦筋用仮止め筋３１と縦筋４のそれぞれとの交差部分は、溶接によって固定されている。溶接強度は、鉄筋母材の降伏点強度以上となるように設定されている。また、縦筋用仮止め筋３１は各縦筋４に対して同一の側に取り付けられている。
【００２４】
横筋枠４０は、図２（ａ）に示すように、一定の間隔で平行に延びる状態に平面上に配置した複数本の横筋５を備えている。横筋５に直交する状態に横筋用仮止め筋４１が長さ方向に一定の間隔で配列されている。各横筋用仮止め筋４１と横筋５のそれぞれとの交差部分は、溶接によって固定されている。溶接強度は、鉄筋母材の降伏点強度以上となるように設定されている。横筋用仮止め筋４１は各横筋５に対して同一の側に取り付けられている。
【００２５】
ここで、図１（ａ）を参照して、横筋枠４０相互の重ね継ぎ手の部分を説明する。隣接する２枚の横筋枠４０の間の重ね継ぎ手では、一方の横筋枠４０における横筋長さ方向の一方の端に配置されている横筋用仮止め筋４１から突出している横筋部分５ａと、他方の横筋枠４０における横筋長さ方向の一方の端に配置されている横筋用仮止め筋４１から突出している横筋部分５ｂとが相互に重ね合わされて、結束線などによって結束されている。縦筋枠３０の場合も同様に重ね継ぎ手の部分を構成することができる。
【００２６】
この代わりに、一方の横筋枠４０における横筋長さ方向の端に横筋用仮止め筋４１を取付け、他方の横筋枠４０における横筋長さ方向の端にも縦筋用仮止め筋４１を取り付け、これらの横筋枠の端部を相互に重ね合わせて、これら２枚の横筋枠の間に重ね継ぎ手を構成してもよい。縦筋枠３０の場合にも同様にして重ね継ぎ手を構成できる。
【００２７】
このように、横筋枠４０同士の間の重ね継ぎ手の部分に横筋用仮止め筋４１が配置されるようにすることで、仮止め筋を利用して重ね継ぎ手長さを短くできる。なお、仮止め筋の位置に関係なく、隣接する縦筋枠の端部の間、あるいは隣接する横筋枠の端部の間に、
必要長さの重ね継ぎ手を構成してもよいことは勿論である。
【００２８】
また、縦筋枠３０と横筋枠４０とは、重ね合わせた状態において、重なり厚さが厚くならないように、縦筋枠３０および横筋枠４０の間に縦筋用仮止め筋３１および横筋用仮止め筋４１が位置するようにしている。
【００２９】
すなわち、図１（ｂ）に示すように、縦筋枠３０において、縦筋４に対して同一の側に縦筋用仮止め筋３１を溶接し、横筋枠４０において、横筋５に対して同一の側に横筋用仮止め筋４１を溶接している。そして、縦筋枠３０と横筋枠４０とを、縦筋用仮止め筋３１および横筋用仮止め筋４１が内側に位置するように、相互に重ね合わせている。
【００３０】
なお、縦筋枠３０および横筋枠４０も、品質のばらつきを無くし、現場での作業工程を減らすために、本例では工場生産される。
【００３１】
また、縦筋４、横筋５の仮止めとして使用している縦筋用仮止め筋、横筋用仮止め筋を、縦筋方向および横筋方向の構造材として用いることもできる。すなわち、仮止め筋同士を、ジョイント筋を用いて繋ぐ（重ね継ぎ手部分を構成する）ことによって、仮止め筋を縦横のスラブ筋、すなわち構造材として用いることもできる。
【００３２】
さらに、本例では、横筋５の一方の端には所定の角度で折り曲げたアンカー部（立下り部分）５Ａが形成されているが、アンカー部が無い場合もある。また、アンカー部は、配筋などの取り合い状態に応じて、各種の長さとすることができ、折り曲げ角度も９０度、１３５度など各種の角度にすることができる。
【符号の説明】
【００３３】
３    スラブ筋
４    縦筋
５    横筋
５Ａ  立下り部分
５ａ、５ｂ  横筋部分
３０  縦筋枠
３１  縦筋用仮止め筋
４０  横筋枠
４１  横筋用仮止め筋
【図１】
2017078253.tif 000003
【図２】
2017078253.tif 000004